(57)【要約】【課題】サーバとの接続が切断した場合に自動的に再接続する携帯端末を提供する。【解決手段】ＰＤＡ９のＣＰＵ９−１が自動接続用のプログラムＰＲ３を使用して、構内ＰＨＳ回線を介したサーバとの接続状態を定周期に監視し、切断した場合に発呼して再接続を試みる。また、ＣＰＵ９−１が通信用のプログラムＰＲ１を使用して、接続中のサーバから定期的に最新データを受信し、ディスプレイ９−７の表示を更新する。【選択図】図３
2013207711.tif 000002
【特許請求の範囲】
【請求項１】
無線回線を介してサーバから送られてくる画面を表示する画面表示手段と、
前記画面表示手段により表示される画面に表示されているデータについてその最新データの送信を前記無線回線を介して前記サーバに定期的に要求する最新データ要求手段と、
前記サーバとの接続状態を定周期で監視し、切断した場合に所定の電話番号を発呼して再接続を試みる自動接続手段とを備える携帯端末。
【請求項２】
請求項１に記載された携帯端末において、
前記画面表示手段は、前記サーバに接続しているか切断しているかの接続状態を表示色を切り替えて表示することを特徴とする携帯端末。
【発明の詳細な説明】
【技術分野】
【０００１】
この発明は、サーバから送られてくる監視画面などの画面を表示する携帯端末に関するものである。
【背景技術】
【０００２】
図１１に従来のプラント管理システムの概略を示す。同図において、１はプラント内に設けられた各種の設備であり、これらの設備はコントローラ２によって制御される。コントローラ２は制御系のＬＡＮ（ローカルエリアネットワーク）３を介して計器室に設けられた中央監視装置４と接続されている。５はデータベースであり、操作権限データベース５−１と操作履歴データベース５−２とを備え、情報系のＬＡＮ６を介して中央監視装置４に接続されている。
【０００３】
このプラント管理システム１００において、コントローラ２は、プラント内の各種管理ポイントのデータを定期的に収集し、この収集したデータを中央監視装置４へ送る。中央監視装置４は各種管理ポイントからのデータを蓄積する。また、中央監視装置４は、操作者からの要求に応えて監視画面を作成し、ディスプレイ上に表示する。中央監視装置４において、操作者には操作権限が与えられており、ディスプレイ上に表示される監視画面からの操作や表示内容などが操作者の操作権限に応じて規制される。
【０００４】
〔操作権限の判定、操作履歴の記録〕
中央監視装置４にログインする際、操作者は、自己に割り当てられている操作者ＩＤ（識別番号）とパスワードを入力する。すると、中央監視装置４は、入力された操作者
ＩＤとパスワードに基づいて、操作権限データベース５−１内の操作権限テーブルＴＢを参照し、操作者に与えられている操作権限を判定する。
【０００５】
中央監視装置４は、判定した操作権限に応じて、ディスプレイ上に表示する監視画面からの操作（例えば、実際の設備機器に対する発停操作、温度管理点に対する設定温度の変更、コントロールバルブに対する設定開度の変更など）や表示内容を規制する。また、中央監視装置４は、情報系のＬＡＮ６を介して操作履歴データベース５−２にアクセスし、中央監視装置４における操作履歴を記録する。
【０００６】
このようなプラント管理システム１００においては、例えば現場でのコントロールバルブの開度のチェックや調整を、フィールドマンが計器室のボードマンと連絡を取りながら行っている。フィールドマンとボードマンとの間の連絡には無線ページングなどが使用される。この場合、フィールドマンは、コントロールバルブの設定開度や調整結果などを計器室のボードマンに問い合わせる。ボードマンは、中央監視装置４のディスプレイ上の監視画面をみながら、フィールドマンからの問い合わせに応える。ループチェックと呼ばれる作業では、プラント内の各所のコントロールバルブの開度のチェックや調整を順番に行うので、フィールドマンとボードマンとの間の遣り取りはさらに大変なものとなる。
【０００７】
このような現状に対し、本出願人は、フィールドマンとボードマンとの間の遣り取りをなくし、フィールドマンだけで全作業を完結することの可能なシステムの開発を進めている（例えば、特許文献１参照）。このシステムでは、フィールドマンにＰＤＡ（携帯情報端末：Ｐｅｒｓｏｎａｌ  Ｄｉｇｉｔａｌ  Ａｓｓｉｓｔａｎｃｅ）を携帯させ、このＰＤＡのディスプレイ上に中央監視装置と同様の監視画面を表示させる。ＰＤＡには、メモリ容量や処理能力などの能力面から、中央監視装置４と同等の機能を持たせることは困難である。すなわち、ＰＤＡに監視画面の作成機能や操作権限の判定機能、操作履歴の記録機能を持たせることは困難である。そこで、本出願人が開発を進めているシステムでは、サーバを設け、このサーバに監視画面の作成機能や操作権限の判定機能、操作履歴の記録機能を持たせるようにし、ＰＤＡからの要求に応えてサーバ側で作成した監視画面をＰＤＡに送るようにした。
【先行技術文献】
【特許文献】
【０００８】
【特許文献１】特開平２００３−２９５９４５号公報
【発明の概要】
【発明が解決しようとする課題】
【０００９】
このＰＤＡを利用したシステムにおいて無線ＬＡＮでサーバとＰＤＡを接続する場合、通信圏外へ移動して接続が切断しても、通常は再度通信圏内に移動すれば、その時点で自動的に無線ＬＡＮに再接続される。
【００１０】
他方、プラント内に構内ＰＨＳ（Ｐｅｒｓｏｎａｌ  Ｈａｎｄｙ−ｐｈｏｎｅ  Ｓｙｓｔｅｍ）を構築してサーバとＰＤＡの通信を実施する場合、サーバ接続用の電話番号を発呼して構内ＰＨＳ回線を確立する必要があり、無線ＬＡＮのように自動的に再接続されないという課題があった。
【００１１】
そのため、ＰＤＡが通信圏外へ移動したとき、通信異常などの障害により所定時間内にサーバからデータが送られてこないときなどには、フィールドマンがＰＤＡを操作して構内ＰＨＳに発呼して、サーバに再接続するという操作が必要になる。
また、Ｗｅｂブラウザ画面の自動表示更新を行わない設定の場合、通信が切断されると画面の更新が停止してしまい、切断前の画面が表示され続けることになるため、再接続するまでアラーム情報等がフィールドマンに伝達されないことになる。一方、画面を自動更新する設定にしてある場合には、「ページが見つかりません」という趣旨のＷｅｂブラウザ固有の画面が表示されることになり、やはりアラーム情報等がフィールドマンに伝達されない。
【００１２】
この発明は、上記のような課題を解決するためになされたもので、サーバとの接続が切断した場合に自動的に再接続する携帯端末を提供することを目的とする。
【課題を解決するための手段】
【００１３】
この発明に係る携帯端末は、無線回線を介してサーバから送られてくる画面を表示する画面表示手段と、画面表示手段により表示される画面に表示されているデータについてその最新データの送信を無線回線を介してサーバに定期的に要求する最新データ要求手段と、サーバとの接続状態を定周期で監視し、切断した場合に所定の電話番号を発呼して再接続を試みる自動接続手段とを備えるものである。
【発明の効果】
【００１４】
この発明によれば、サーバとの接続状態を定周期で監視し、切断した場合に所定の電話番号を発呼して再接続を試みるようにしたので、通信圏外への移動や通信異常などの障害により無線回線への接続が切断された場合にも自動的に再接続を試みるので、接続状態を確認して手動で再接続しなければならないという煩わしさがない。また、自動的に、接続状態を維持してデータを更新できるので、アラーム情報等の伝達漏れを防止できる。
【図面の簡単な説明】
【００１５】
【図１】この発明の一実施の形態を示すプラント管理システムの構成図である。
【図２】このプラント管理システムにおけるサーバの概略構成を示すブロック図である。
【図３】このプラント管理システムにおいてフィールドマンに携帯させるＰＤＡの概略構成を示すブロック図である。
【図４】ＰＤＡのディスプレイ上に表示される自動接続ダイアログを示す図である。
【図５】ＰＤＡのディスプレイ上に表示されるログイン画面を示す図である。
【図６】ＰＤＡのディスプレイ上に表示されるメニュー画面を示す図である。
【図７】ＰＤＡのディスプレイ上に表示される調整画面の一例を示す図である。
【図８】図７に示した調整画面において計測流量（ＰＶ）が最新データに更新された状態を示す図である。
【図９】図７に示した調整画面において構内ＰＨＳ回線の接続が切断された場合の表示例を示す図である。
【図１０】図７に示した調整画面においてサーバのセッションが終了した場合の表示例を示す図である。
【図１１】従来のプラント管理システムの構成図である。
【発明を実施するための形態】
【００１６】
以下、本発明を図面に基づいて詳細に説明する。図１はこの発明に係る携帯端末の一実施の形態を使用したプラント管理システム２００の構成図である。同図において、図１１と同一符号は同一或いは同等構成要素を示し、その説明は省略する。
【００１７】
この実施の形態では、図１１に示した従来のシステム構成に加え、サーバ７とＰＨＳ制御装置８を新たに設け、フィールドマンにＰＤＡ（携帯端末）９を携帯させるようにしている。サーバ７は制御系のＬＡＮ３および情報系のＬＡＮ６に接続されており、ＰＨＳ制御装置８は情報系のＬＡＮ６に接続されている。
【００１８】
ＰＤＡ９としては市販のＰＤＡを使用している。すなわち、本実施の形態において、ＰＤＡ９のメモリ容量およびＣＰＵの処理能力は小さい。ＰＤＡ９にはカード型ＰＨＳ電話機１０を装着する。ＰＨＳ制御装置８はプラント内の各所に設けられたアンテナ１１と接続されている。このＰＨＳ制御装置８とアンテナ１１とによってプラント内に構内ＰＨＳが構築されている。
【００１９】
図２は、サーバ７の概略構成を示すブロック図である。同図において、７−１はＣＰＵ、７−２はＲＡＭ、７−３はＲＯＭ、７−４，７−５はインターフェイスである。ＣＰＵ７−１は、ＲＡＭ７−２にアクセスしながら、ＲＯＭ７−３に格納されたプログラムに従って動作する。
【００２０】
ＲＯＭ７−３には、ＰＤＡ９に送る監視画面を作成するためのプログラム、ＰＤＡ９における操作者の操作権限の判定を行いセッションを管理するためのプログラム、ＰＤＡ９における操作履歴を記録するためのプログラムなどが格納されている。
【００２１】
図３は、ＰＤＡ９の概略構成を示すブロック図である。同図において、９−１はＣＰＵ、９−２はＲＡＭ、９−３はＲＯＭ、９−４，９−５，９−６はインターフェイス、９−７はタッチパネル式のディスプレイ、９−８はキー操作部、１０はＰＤＡ９に着脱可能に装着されたカード型ＰＨＳ電話機である。カード型ＰＨＳ電話機１０はインターフェイス９−４を介してＣＰＵ９−１に接続されている。ＣＰＵ９−１は、ＲＡＭ９−２にアクセスしながら、ＲＯＭ９−３に格納されたプログラムに従って動作する。ＲＯＭ９−３には通信用のプログラムＰＲ１、表示用のプログラムＰＲ２、自動接続用のプログラムＰＲ３などが格納されている。
【００２２】
〔ＰＤＡからのアクセス〕
例えば、今、フィールドマンがコントロールバルブの開度チェックや調整を行いたいものとする。この場合、フィールドマンは、携帯しているＰＤＡ９の自動接続用のプログラムＰＲ３を実行させると共に、Ｗｅｂブラウザを実行させてディスプレイ９−７上にログイン画面を表示させる。
【００２３】
図４に、ディスプレイ９−７上に表示される自動接続用のプログラムＰＲ３の自動接続ダイアログＤ１を示す。自動接続ダイアログＤ１には、自動接続用のプログラムＰＲ３の実行を許可するＯＫボタンＢＴ１とキャンセルボタンＢＴ２が表示される。
フィールドマンは、自動接続ダイアログＤ１において、ＯＫボタンＢＴ１を押す。すると、実行を許可する情報をＣＰＵ９−１が取り込み、ＲＯＭ９−３に格納されている自動接続用のプログラムＰＲ３を使用してサーバ７の電話番号を発呼し、カード型ＰＨＳ電話機１０とＰＨＳ制御装置８との間の構内ＰＨＳ回線を確立する。ＰＨＳ制御装置８は発呼された電話番号に従い、カード型ＰＨＳ電話機１０をサーバ７へ接続する。
また、ＣＰＵ９−１は自動接続用のプログラムＰＲ３をこのまま常時起動しておき、構内ＰＨＳ回線を通じた通信状態を定周期（例えば、３０秒毎）で監視し、サーバ７との接続が切断されたことを検知したときに自動的に発呼して、再接続を試みる。これにより、ＰＤＡ９の通信圏外への移動や通信異常などの障害が生じて構内ＰＨＳ回線が切断された場合に、自動的に通信を復旧することができる。
【００２４】
ＰＤＡ９において、ＣＰＵ９−１が自動接続用のプログラムＰＲ３を使用して定周期でサーバ７との接続状態を監視し、切断した場合にカード型ＰＨＳ電話機１０にサーバ７の電話番号を発呼させることにより、自動接続手段が実現される。
【００２５】
図５に、ディスプレイ９−７上に表示されるログイン画面Ｇ１を示す。ログイン画面Ｇ１には操作者ＩＤ（ユーザＩＤ）の入力窓Ｓ１とパスワードの入力窓Ｓ２が表示される。また、ＯＫボタンＢＴ３とリセットボタンＢＴ４が表示される。
フィールドマンは、ログイン画面Ｇ１において、自己に割り当てられている操作者ＩＤを入力窓Ｓ１に入力し、パスワードを入力窓Ｓ２に入力し、ＯＫボタンＢＴ３を押す。すると、入力された操作者ＩＤとパスワードをＣＰＵ９−１がログイン情報として取り込み、このログイン情報をインターフェイス９−４を介してカード型ＰＨＳ電話機１０へ送る。
【００２６】
カード型ＰＨＳ電話機１０は、ＣＰＵ９−１からのログイン情報をＰＨＳ制御装置８へ送る。ＰＨＳ制御装置８はＰＤＡ９からのログイン情報をサーバ７へ送る。サーバ７は、ＰＤＡ９からのログイン情報を受け取り、このログイン情報の操作者ＩＤとパスワードに基づき、操作権限データベース５−１内の操作権限テーブルＴＢを参照し、ＰＤＡ９における操作者（フィールドマン）の操作権限を判定する。
【００２７】
次に、サーバ７は、判定した操作権限に応じた監視画面を作成し、この監視画面に最新データの取込指令を負荷し、ＰＨＳ制御装置８を介してＰＤＡ９へ送る。この場合、ＰＨＳ制御装置８とＰＤＡ９との間の構内ＰＨＳ回線は確立されたままの状態であり、この構内ＰＨＳ回線を通じてサーバ７からの監視画面が直ちにＰＤＡ９へ送られる。
【００２８】
ＰＤＡ９において、ＣＰＵ９−１は、サーバ７から送られてきた監視画面をディスプレイ９−７上に表示する。また、ＣＰＵ９−１は、サーバ７から送られてきた監視画面に付加されている最新データの取込指令を受けて、ＲＯＭ９−３に格納されている通信用のプログラムＰＲ１を使用して、サーバ７に対して最新データの送信を定期的に要求する。また、この要求に応じて送られてきた最新データを、ＲＯＭ９−３に格納されている表示用のプログラムＰＲ２を使用して、ディスプレイ９−７上の監視画面に表示する。
【００２９】
ＰＤＡ９において、ＣＰＵ９−１が表示用のプログラムＰＲ２を使用してディスプレイ９−７上に監視画面を表示させることにより、画面表示手段が実現される。
また、ＰＤＡ９において、ＣＰＵ９−１が通信用のプログラムＰＲ１を使用してサーバ７に定期的に最新データを要求することにより、最新データ要求手段が実現される。
【００３０】
〔メニュー画面〕
図６に、ディスプレイ９−７上に表示される監視画面を示す。サーバ７は、ログイン情報受信後の最初の監視画面として、メニュー画面Ｇ２をＰＤＡ９のディスプレイ９−７上に表示させる。メニュー画面Ｇ２には、その上部に、操作メニューが表示される。この例では、操作メニューとして、「アラーム」、「メッセージ」、「グループ」、「更新」の各メニューＭ１，Ｍ２，Ｍ３，Ｍ４が表示される。
【００３１】
また、操作メニューの横には、ＰＤＡ９がサーバ７に接続しているか切断しているかの接続状態を表示する表示ブロックＢＬ１が表示される。表示ブロックＢＬ１は、サーバ７に接続している状態ではその表示色が緑とされ、切断している状態ではその表示色が赤とされる。図６に示すメニュー画面Ｇ２では、ＰＨＳ制御装置８とＰＤＡ９との間で構内ＰＨＳ回線が確立されサーバ７に接続した状態になっているので、表示ブロックＢＬ１の表示色が緑にされている。
【００３２】
また、図６に示したメニュー画面Ｇ２の場合、未確認のアラームがあればメニューＭ１中の文字列の背景の色が赤色とされ、未確認のメッセージがあればメニューＭ２中の文字列の背景の色が赤色とされる。メニュー画面Ｇ２において、このメニュー画面Ｇ２に表示されるデータとは、例えばメニューＭ１やＭ２中の文字列の背景の色である。
【００３３】
〔最新データの送信要求〕
サーバ７からの最新データの取込指令を受けたＣＰＵ９−１は、監視画面に表示されているデータについてその最新データの送信要求を２秒毎にサーバ７へ送る。本実施の形態では、ＰＤＡ９からログイン情報を送信すると、通信圏外への移動などがなければ、ログアウトされるまでＰＤＡ９とＰＨＳ制御装置８との間の構内ＰＨＳ回線は確立されたままの状態となる。したがって、サーバ７へは、定期的にＰＤＡ９から最新データの送信要求が送られる。サーバ７は、ＰＤＡ９からの送信要求に応えて、最新データをＰＤＡ９へ送る。
【００３４】
〔レスポンスがある場合〕
ＣＰＵ９−１は、メニュー画面Ｇ２に表示されているデータについて、通信用のプログラムＰＲ１を使用して、その最新データの送信要求を２秒毎にサーバ７へ送る。サーバ７は、このＰＤＡ９からの最新データの送信要求に応えて、メニュー画面Ｇ２中の最新データ（この例では、メニューＭ１やＭ２中の文字列の背景の色）をＰＤＡ９へ送る。ＰＤＡ９のＣＰＵ９−１は、サーバ７から最新データが送られてくると、表示用のプログラムＰＲ２を使用して、メニュー画面Ｇ２内のデータを最新データに更新する。
【００３５】
〔通信が切断した場合〕
これに対し、通信圏外への移動や通信異常などの障害により、ＰＨＳ制御装置８との間の構内ＰＨＳ回線が切断された場合、ＰＤＡ９のＣＰＵ９−１は、自動接続用のプログラムＰＲ３を使用して定周期で接続状態を監視しているため、ある時点でこの切断を検知する。ＣＰＵ９−１は、切断を検知すると、自動接続用のプログラムＰＲ３を使用して、サーバ７への再接続を試みる。また、ＣＰＵ９−１は、切断を検知すると、表示用のプログラムＰＲ２を使用して、表示ブロックＢＬ１の表示色を赤とする。フィールドマンは、表示ブロックＢＬ１の表示色が赤となったことにより、メニュー画面Ｇ２に表示されているデータ、すなわちメニューＭ１やＭ２中の文字列の背景の色が古いデータであることを知ることができる。
【００３６】
なお、ＣＰＵ９−１は、自動接続用のプログラムＰＲ３を使用して構内ＰＨＳ回線からの切断を検知したときに、アラーム音を鳴らすなどの動作を実行して、フィールドマンに報知してもよい。
【００３７】
また、構内ＰＨＳ回線が切断されたことにより所定時間内にサーバ７から最新データが送られてこない場合に、ＰＤＡ９のＣＰＵ９−１は、メニュー画面Ｇ２に表示されているデータが古いデータであることを強調するために、不図示の表示ブロックの表示色を変更（例えば、緑から赤に変更）するようにしてもよい。
【００３８】
〔通信が復旧した場合〕
通信圏外から通信圏内へ移動したり通信異常などの障害が復旧したりして、構内ＰＨＳ回線の再確立が可能になり、サーバ７に再接続されると、ＰＤＡ９のＣＰＵ９−１は、表示用のプログラムＰＲ２を使用して、表示ブロックＢＬ１の表示色を緑とする。フィールドマンは、表示ブロックＢＬ１の表示色が緑となったことにより、サーバ７から最新データが受信可能になったこと、すなわちメニュー画面Ｇ２に表示されているデータが新しいデータである可能性が高いことを知ることができる。
【００３９】
また、通信が復旧してサーバ７から最新データが送られてきた場合に、ＰＤＡ９のＣＰＵ９−１は、メニュー画面Ｇ２に表示されているデータが新しいデータであることを強調するために、不図示の表示ブロックの表示色を変更（例えば、赤から緑に変更）するようにしてもよい。
【００４０】
〔調整画面〕
メニュー画面Ｇ２が表示されると、フィールドマンはメニューＭ３を選択し、その詳細画面（グループ画面）を表示させる。このグループ画面も、メニュー画面Ｇ２と同様にしてサーバ７において作成され、ＰＤＡ９に送られてくる。そして、このグループ画面から所望の管理ポイントを選択し、その管理ポイントの詳細画面（調整画面）を表示させる。この調整画面も、サーバ７において作成され、ＰＤＡ９に送られてくる。なお、グループ画面や調整画面などに表示するデータは、サーバ７が中央監視装置４やコントローラ２にアクセスして取得する。
【００４１】
このとき表示される調整画面の一例を図７に示す。この調整画面Ｇ３は、管理ポイントとして「ＦＣ１０１：ＰＰＹフィールド流量１」を選択した場合のものであり、「ＦＣ１０１」に対する設定流量（ＳＰ）が表示窓Ｗ１に、計測流量（ＰＶ）が表示窓Ｗ２に、コ
ントロールバルブへの出力開度の指令値（ＯＰ（％））が表示窓Ｗ３に、運転モード（ＭＯＤＥ）が表示窓Ｗ４に表示される。また、メニュー画面Ｇ２のメニューＭ１，Ｍ２，Ｍ３，Ｍ４がそのまま残され、表示ブロックＢＬ１も表示される。但し、表示ブロックＢＬ１は、メニュー画面Ｇ２に対するものだけではなく、調整画面Ｇ３に対するものでもある。
【００４２】
〔最新データの送信要求〕
サーバ７からの調整画面Ｇ３には最新データの取込指令が付加されている。ＰＤＡ９のＣＰＵ９−１は、調整画面Ｇ３に付加されている最新データの取込指令を受け、調整画面Ｇ３に表示されているデータについてその最新データの送信要求を２秒毎にサーバ７へ送る。サーバ７は、ＰＤＡ９からの送信要求に応えて、最新データをＰＤＡ９へ送る。
【００４３】
〔レスポンスがある場合〕
ＣＰＵ９−１は、調整画面Ｇ３に表示されているデータについて、通信用プログラムＰＲ１を使用して、その最新データの送信要求を２秒毎にサーバ７へ送る。サーバ７は、このＰＤＡ９からの最新データの送信要求に応えて、調整画面Ｇ３内の最新データをＰＤＡ９へ送る。ＰＤＡ９のＣＰＵ９−１は、サーバ７から最新データが送られてくると、表示用プログラムＰＲ２を使用して、調整画面Ｇ３内のデータを最新データに更新する。図８に計測流量（ＰＶ）が最新データに更新された状態を示す。
【００４４】
〔通信が切断した場合〕
これに対し、通信圏外への移動や通信異常などの障害により、ＰＨＳ制御装置８との間の構内ＰＨＳ回線が切断された場合、ＰＤＡ９のＣＰＵ９−１は、自動接続用のプログラムＰＲ３を使用して定周期で接続状態を監視しているため、ある時点でこの切断を検知する。ＣＰＵ９−１は、切断を検知すると、自動接続用のプログラムＰＲ３を使用して、サーバ７への再接続を試みる。また、ＣＰＵ９−１は、切断を検知すると、表示用のプログラムＰＲ２を使用して、表示ブロックＢＬ１の表示色を赤とする。フィールドマンは、表示ブロックＢＬ１の表示色が赤となったことにより、調整画面Ｇ３に表示されているデータ、すなわち表示窓Ｗ１，Ｗ２，Ｗ３，Ｗ４に表示されている内容やメニューＭ１やＭ２の表示色が古いデータであることを知ることができる。
【００４５】
なお、ＣＰＵ９−１は、自動接続用のプログラムＰＲ３を使用して構内ＰＨＳ回線からの切断を検知したときに、アラーム音を鳴らすなどの動作を実行して、フィールドマンに報知してもよい。
【００４６】
また、構内ＰＨＳ回線が切断されたことにより所定時間内にサーバ７から最新データが送られてこない場合に、ＰＤＡ９のＣＰＵ９−１は、調整画面Ｇ３に表示されているデータが古いデータであることを強調するために、不図示の表示ブロックの表示色を変更（例えば、緑から赤に変更）するようにしてもよい。
【００４７】
〔通信が復旧した場合〕
通信圏外から通信圏内へ移動したり通信異常などの障害が復旧したりして、構内ＰＨＳ回線の再確立が可能になり、サーバ７に再接続されると、ＰＤＡ９のＣＰＵ９−１は、表示用のプログラムＰＲ２を使用して、表示ブロックＢＬ１の表示色を緑とする。フィールドマンは、表示ブロックＢＬ１の表示色が緑となったことにより、サーバ７から最新データが受信可能になったこと、すなわち調整画面Ｇ３に表示されているデータが新しいデータである可能性が高いことを知ることができる。
【００４８】
また、通信が復旧してサーバ７から最新データが送られてきた場合に、ＰＤＡ９のＣＰＵ９−１は、調整画面Ｇ３に表示されているデータが新しいデータであることを強調するために、不図示の表示ブロックの表示色を変更（例えば、赤から緑に変更）するようにしてもよい。
【００４９】
〔サーバとのセッションが終了した場合〕
なお、サーバ７は、所定時間以上、ＰＤＡ９から最新データの送信要求が送られてこないと、このＰＤＡ９とのセッションを終了する。そのため、例えばＰＤＡ９が通信圏外にいる間にセッションが終了してしまい、その後、通信圏内へ移動して通信が復旧し最新データの送信要求をサーバ７へ送ったとしても、サーバ７から最新データが送られてこないことになる。
このような場合、ＣＰＵ９−１は、通信用のプログラムＰＲ１を使用してサーバ７のセッションが終了したことを検知すると、表示用のプログラムＰＲ２を使用して、サーバ７との通信が切断されたことを示す警告ダイアログＤ２をディスプレイ９−７上に表示させる。図１０に、調整画面Ｇ３に警告ダイアログＤ２が表示された状態を示す。フィールドマンは、警告ダイアログＤ２が表示されたことにより、サーバ７のセッション終了を知ることができる。また、警告ダイアログＤ２に続けてログイン画面Ｇ１を表示して、再ログインを促してもよい。なお、図示は省略するが、調整画面Ｇ３以外の監視画面（例えば、メニュー画面Ｇ２）においてもサーバ７のセッションが終了した場合には警告ダイアログＤ２が表示される。
【００５０】
以上より、本実施の形態によれば、ＰＤＡ９は、構内ＰＨＳ回線を介してサーバ７から送られてくる監視画面を表示し、この監視画面内のデータについてその最新データの送信を構内ＰＨＳ回線を介してサーバ７に定期的に要求し、サーバ７との接続状態を定周期で監視して切断した場合に所定の電話番号を発呼して再接続を試みるように構成した。このため、ＰＤＡ９のディスプレイ９−７上に表示されている監視画面内のデータが定期的に更新されるので、一々更新ボタンを押さなければならないという煩わしさがない。また、通信圏外への移動などにより構内ＰＨＳ回線が途切れてサーバ７との接続が切断された場合には、この切断を検知して再接続を試みるので、接続状態を確認して手動で再接続しなければならないという煩わしさがない。また、自動的に、接続状態を維持してデータを更新するので、アラーム情報等の伝達漏れを防止できると共に、監視画面内のデータが古いデータであるのか新しいデータであるのかを気にする必要もない。
【００５１】
また、本実施の形態によれば、ＰＤＡ９は、サーバ７に接続しているか切断しているかの接続状態を、表示ブロックＢＬ１の表示色を切り替えて表示するように構成した。このため、監視画面内のデータが古いデータであるのか新しいデータであるのかを目視によって確認することができる。したがって、通信圏外への移動、通信異常などの障害、サーバ７の機能停止などによりデータが更新されなくなっても、監視画面内のデータを新しいデータであると見誤ることがない。
【００５２】
なお、上述した実施の形態では、フィールドマンに持たせる携帯端末としてＰＤＡを使用するようにしたが、ＰＤＡに限られるものではない。例えば、携帯電話機などを使用することも考えられる。また、構内ＰＨＳの通信切断時、ＰＤＡが１つの電話番号に発呼するようにしたが、複数の電話番号に発呼して接続を試みたり、場合によっては公衆回線を経由して接続を試みたりすることも考えられる。
【００５３】
また、上述した実施の形態では、プラント管理システム２００に適用した場合の例として説明したが、ビル等においても同様にして適用することが可能であり、対象となる施設はプラントやビル等に限られるものではない。また、携帯端末に表示する画面も監視画面に限られるものではなく、各種の画面に同様にして適用することができる。
【００５４】
さらに、具体的な構成は、上述した実施の形態の構成に限られるものではなく、本発明の要旨を逸脱しない範囲の設計の変更などがあっても本発明に含まれることは言うまでもない。
【符号の説明】
【００５５】
１  設備
２  コントローラ
３，６  ＬＡＮ
４  中央監視装置
５  データベース
５−１  操作権限データベース
５−２  操作履歴データベース
７  サーバ
７−１  ＣＰＵ
７−２  ＲＡＭ
７−３  ＲＯＭ
７−４，７−５  インターフェイス
８  ＰＨＳ制御装置
９  ＰＤＡ
９−１  ＣＰＵ
９−２  ＲＡＭ
９−３  ＲＯＭ
９−４，９−５，９−６  インターフェイス
９−７  ディスプレイ
９−８  キー操作部
１０  カード型ＰＨＳ電話機
１１  アンテナ
１００，２００  プラント管理システム
【図１】
2013207711.tif 000003
【図２】
2013207711.tif 000004
【図３】
2013207711.tif 000005
【図４】
2013207711.tif 000006
【図５】
2013207711.tif 000007
【図６】
2013207711.tif 000008
【図７】
2013207711.tif 000009
【図８】
2013207711.tif 000010
【図９】
2013207711.tif 000011
【図１０】
2013207711.tif 000012
【図１１】
2013207711.tif 000013